(57)【要約】【課題】キュービクル等の高圧受電設備が配置される施設内において異常電流の有無を検出するための電流測定値のデータを安定的に管理装置に伝送し、その施設内における地絡や短絡等によって異常電流が発生する予兆の有無を定常的に監視してキュービクル等の高圧受電設備の的確な保全を支援する。【解決手段】異常電流予兆検出システムは、高圧受電設備が配置される施設内において異常電流の予兆を検出するための電流値を測定する電流測定装置と、電流値の測定結果データを取得する電力線通信アダプタと、電力線通信アダプタから送信される電流値の測定結果データを受信する異常電流検出装置と、を備える。異常電流検出装置は、所定期間分の電流値の測定結果データに基づいて、施設内において異常電流が発生する予兆の有無を判定する。【選択図】図１
2020092569.tif 000002
【特許請求の範囲】
【請求項１】
高圧受電設備が配置される施設内において異常電流の予兆を検出するための電流値を測定する電流測定装置と、
前記電流測定装置により測定される前記電流値の測定結果データを取得する電力線通信アダプタと、
前記電力線通信アダプタとの間で電力線通信が可能に接続され、前記電力線通信アダプタから送信される前記電流値の測定結果データを受信する異常電流検出装置と、を備え、
前記異常電流検出装置は、所定期間分の前記電流値の測定結果データに基づいて、前記施設内において前記異常電流が発生する予兆の有無を判定する、
異常電流予兆検出システム。
【請求項２】
前記電流測定装置からの前記電流値の測定結果データは、伝送ケーブルを介して、前記電力線通信アダプタに入力される、
請求項１に記載の異常電流予兆検出システム。
【請求項３】
前記異常電流検出装置は、前記異常電流が発生する予兆を判定した場合、前記異常電流検出装置との間で通信可能に接続される少なくとも一台の外部機器にアラートを通知する、
請求項１または２に記載の異常電流予兆検出システム。
【請求項４】
前記電流測定装置は、前記高圧受電設備が配置される施設内において地絡の予兆を検出するための第１電流値を測定する第１電流測定装置を含み、
前記電力線通信アダプタは、前記第１電流測定装置により測定される前記第１電流値の測定結果データを取得する第１電力線通信アダプタを含み、
前記異常電流検出装置は、前記第１電力線通信アダプタとの間で電力線通信が可能に接続され、前記第１電力線通信アダプタから送信される前記第１電流値の測定結果データを受信し、所定期間分の前記第１電流値の測定結果データに基づいて、前記施設内において前記地絡が発生する予兆の有無を判定する、
請求項１〜３のうちいずれか一項に記載の異常電流予兆検出システム。
【請求項５】
前記第１電力線通信アダプタは、前記高圧受電設備内に配置される、
請求項４に記載の異常電流予兆検出システム。
【請求項６】
前記第１電力線通信アダプタは、前記高圧受電設備に含まれるキュービクル内に配置される変圧器の二次側より給電された電力に基づいて動作する、
請求項５に記載の異常電流予兆検出システム。
【請求項７】
前記異常電流検出装置は、所定期間分の前記第１電流値の測定結果データを用いて、前記地絡が発生する予兆の有無を判定するための第１予兆検出モデルを学習する、
請求項４〜６のうちいずれか一項に記載の異常電流予兆検出システム。
【請求項８】
前記電流測定装置は、前記高圧受電設備内に配置される複数の機器のそれぞれの間の電路の短絡の予兆を検出するための第２電流値を測定する第２電流測定装置を含み、
前記電力線通信アダプタは、前記第２電流測定装置により測定される前記第２電流値の測定結果データを取得する第２電力線通信アダプタを含み、
前記異常電流検出装置は、前記第２電力線通信アダプタとの間で電力線通信が可能に接続され、前記第２電力線通信アダプタから送信される前記第２電流値の測定結果データを受信し、所定期間分の前記第２電流値の測定結果データに基づいて、前記短絡が発生する予兆の有無を判定する、
請求項１〜７のうちいずれか一項に記載の異常電流予兆検出システム。
【請求項９】
前記第２電流測定装置からの前記第２電流値の測定結果データは、伝送ケーブルを介して、前記第２電力線通信アダプタに入力される、
請求項８に記載の異常電流予兆検出システム。
【請求項１０】
前記異常電流検出装置は、前記短絡が発生する予兆を判定した場合、前記異常電流検出装置との間で通信可能に接続される少なくとも一台の外部機器にアラートを通知する、
請求項８または９に記載の異常電流予兆検出システム。
【請求項１１】
前記第２電力線通信アダプタは、前記高圧受電設備内に配置される、
請求項８〜１０のうちいずれか一項に記載の異常電流予兆検出システム。
【請求項１２】
前記第２電力線通信アダプタは、前記高圧受電設備に含まれるキュービクル内に配置される変圧器の二次側より給電された電力に基づいて動作する、
請求項１１に記載の異常電流予兆検出システム。
【請求項１３】
前記異常電流検出装置は、所定期間分の前記第２電流値の測定結果データを用いて、前記短絡が発生する予兆の有無を判定するための第２予兆検出モデルを学習する、
請求項９〜１２のうちいずれか一項に記載の異常電流予兆検出システム。
【請求項１４】
前記異常電流検出装置は、少なくとも前記電力線通信アダプタとの間で電力線通信を行う情報処理装置とネットワークを介して接続されたサーバである、
請求項９〜１３のうちいずれか一項に記載の異常電流予兆検出システム。
【請求項１５】
前記異常電流検出装置は、少なくとも前記電力線通信アダプタとの間で電力線通信を行う情報処理装置である、
請求項１〜１２のうちいずれか一項に記載の異常電流予兆検出システム。
【請求項１６】
高圧受電設備が配置される施設内において異常電流の予兆を検出するための電流値を電流測定装置により測定するステップと、
前記電流測定装置により測定される前記電流値の測定結果データを電力線通信アダプタにより取得するステップと、
前記電力線通信アダプタとの間で電力線通信が可能に接続された異常電流検出装置により、前記電力線通信アダプタから送信される前記電流値の測定結果データを受信するステップと、
前記異常電流検出装置により、所定期間分の前記電流値の測定結果データに基づいて、前記施設内において前記異常電流が発生する予兆の有無を判定する、
異常電流予兆検出方法。
【発明の詳細な説明】
【技術分野】
【０００１】
本開示は、施設内における異常電流の予兆の有無を検出する異常電流予兆検出システムおよび異常電流予兆検出方法に関する。
【背景技術】
【０００２】
特許文献１には、直流機器が収納された直流キュービクルの下部に敷設され、直流キュービクルと大地との間を絶縁する絶縁材と、直流キュービクルの接地母線を大地に接続する２本の接地線と、２本の接地線に流れる地絡電流を一箇所で検出する電流検出手段とを有する地絡電流検出装置が開示されている。この構成により、保安上の理由で直流キュービクルに２本の接地線を設けた場合でも、直流キュービクル内の故障の予兆を捉えるための微小電流を検出できる。
【先行技術文献】
【特許文献】
【０００３】
【特許文献１】特開２０１５−２２６３５７号公報
【発明の概要】
【発明が解決しようとする課題】
【０００４】
しかし、特許文献１の構成では、高圧受電設備であるキュービクルの内部での事故（例えば地絡）の予兆を捉えるための微小電流の検出値を外部機器に伝送することは考慮されていない。また、仮に微小電流の検出値のデータを外部機器に伝送するために、無線通信を用いることを想定した場合、無線通信時に放射される電波の影響により、キュービクル内に収納された直流機器が誤動作する、または通信障害が発生する可能性がある。また、キュービクルが配置される需要家施設内にて地絡が実際に発生してしまうと、状況によっては波及事故に発展する可能性もある。このため、地絡が発生する予兆が見られるかどうかを定常的に監視することが望ましいという観点で、特許文献１等の従来技術に比べて改善の余地があったと考えられる。
【０００５】
本開示は、上述した従来の状況に鑑みて案出され、キュービクル等の高圧受電設備が配置される施設内において異常電流の有無を検出するための電流測定値のデータを安定的に管理装置に伝送し、その施設内における地絡や短絡等によって異常電流が発生する予兆の有無を定常的に監視してキュービクル等の高圧受電設備の的確な保全を支援する異常電流予兆検出システムおよび異常電流予兆検出方法を提供することを目的とする。
【課題を解決するための手段】
【０００６】
本開示は、高圧受電設備が配置される施設内において異常電流の予兆を検出するための電流値を測定する電流測定装置と、前記電流測定装置により測定される前記電流値の測定結果データを取得する電力線通信アダプタと、前記電力線通信アダプタとの間で電力線通信が可能に接続され、前記電力線通信アダプタから送信される前記電流値の測定結果データを受信する異常電流検出装置と、を備え、前記異常電流検出装置は、所定期間分の前記電流値の測定結果データに基づいて、前記施設内において前記異常電流が発生する予兆の有無を判定する、異常電流予兆検出システムを提供する。
【０００７】
また、本開示は、高圧受電設備が配置される施設内において異常電流の予兆を検出するための電流値を電流測定装置により測定するステップと、前記電流測定装置により測定される前記電流値の測定結果データを電力線通信アダプタにより取得するステップと、前記電力線通信アダプタとの間で電力線通信が可能に接続された異常電流検出装置により、前記電力線通信アダプタから送信される前記電流値の測定結果データを受信するステップと、前記異常電流検出装置により、所定期間分の前記電流値の測定結果データに基づいて、前記施設内において異常電流が発生する予兆の有無を判定する、異常電流予兆検出方法を提供する。
【発明の効果】
【０００８】
本開示によれば、キュービクル等の高圧受電設備が配置される施設内において異常電流の有無を検出するための電流測定値のデータを安定的に管理装置に伝送できるのでその施設内における地絡や短絡等によって異常電流が発生する予兆の有無を定常的に監視でき、キュービクル等の高圧受電設備の的確な保全を支援できる。
【図面の簡単な説明】
【０００９】
【図１】実施の形態１に係る異常電流予兆検出システムの構成例を示す図
【図２】異常電流予兆検出システムにおけるキュービクルの設置例を示す図
【図３】高圧受電設備の詳細な構成を示す図
【図４】ＰＬＣアダプタのハードウェア構成を示す図
【図５】実施の形態１に係る地絡短絡検出動作手順の一例を示すシーケンス図
【図６】実施の形態１に係る予兆検出アルゴリズムの学習手順の一例を示すフローチャート
【図７】実施の形態２に係る地絡短絡検出動作手順の一例を示すシーケンス図
【発明を実施するための形態】
【００１０】
以下、適宜図面を参照しながら、本開示に係る異常電流予兆検出システムおよび異常電流予兆検出方法の構成および作用を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１１】
（実施の形態１）
図１は、実施の形態１に係る異常電流予兆検出システム５の構成例を示す図である。異常電流予兆検出システム５は、キュービクル２００を含む高圧受電設備８（図３参照）で発生する地絡あるいは短絡に基づく異常電流の発生予兆の有無を検出する。図１に示すように、高圧電線を支持する電柱７００には、分岐開閉器２１０と、区分開閉器２０５（図３参照）と、地絡継電器２４０とが設置される。なお、異常電流検出システム５は、キュービクル２００を含む高圧受電設備８でなく、例えば、開放型高圧受電設備に適用されてもよい。
【００１２】
分岐開閉器２１０は、電柱７００に支持された高圧電線を分岐させるための電路を開閉する。
【００１３】
区分開閉器２０５は、電力会社と自家用電気設備との責任分界点に設置され、高圧電線の電路を開閉する。区分開閉器２０５には、引込ケーブル２４５（図３参照）を介してキュービクル２００が接続される。
【００１４】
地絡継電器２４０は、高圧電線の電路と大地Ｅａとが接触することで起こる地絡を検出し、電路を遮断する。
【００１５】
キュービクル２００は、金属製の箱形の筐体を有し、変電所から送電される高圧（例えば６６００Ｖ）の電気を受電して低圧（例えば、１００Ｖあるいは２００Ｖ）の電気に変圧し、各種の需要家（ユーザの一態様）の施設９００内の建物８００に低圧の電気を供給する。
【００１６】
異常電流予兆検出システム５は、キュービクル２００の外部に備わる地絡電流測定装置２３０と、キュービクル２００の内部に備わる地絡検出用ＰＬＣ（Power Line Communication）アダプタ２５５とを含む。
【００１７】
地絡電流測定装置２３０は、区分開閉器２０５に内蔵された零相変流器（ＺＣＴ：Zero-phase Current Transformer）２３１と、前述した地絡継電器（ＤＧＲ：Directional Ground Relays）２４０とを含む。
【００１８】
零相変流器２３１は、例えば地絡時の零相電流を検出する。零相変流器２３１では、例えばＲ相、Ｓ相およびＴ相の３相分の電線が零相変流器２３１を貫通し、いずれか１線で地絡が発生すると、３相のバランスが崩れて各相における電流のベクトル和が０にならなくなる。そして、地絡電流が流れることで、零相変流器２３１は、２次側に未地絡電流を出力する。以下の説明において、未地絡電流とは、地絡に至る可能性が高い前段階の電流を含む、地絡に至っていない電流である。同様に、未短絡電流とは、短絡に至る可能性が高い前段階の電流を含む、短絡に至っていない電流である。
【００１９】
地絡継電器２４０は、零相変流器２３１で検出される未地絡電流を測定し、測定された未地絡電流信号を、一定の期間ごとに（例えば１日１回、１時間に１回）地絡検出用ＰＬＣアダプタ２５５に送信する。この送信には、例えば、地絡継電器２４０と地絡検出用ＰＬＣアダプタ２５５との間に接続され、耐ノイズに優れたシリアル通信を行う通信規格ＲＳ４８５の伝送ケーブル２４０ｍが用いられる。
【００２０】
地絡検出用ＰＬＣアダプタ２５５は、地絡継電器２４０からの未地絡電流信号を受信すると、未地絡電流情報のＰＬＣ信号を生成し、電力線Ｌｎを介して電力線通信により未地絡電流情報のＰＬＣ信号を送信する。このＰＬＣ信号は、地絡電流測定装置２３０（零相変流器２３１，地絡継電器２４０）の識別情報、または地絡検出用ＰＬＣアダプタ２５５が備えられたキュービクル２００の識別情報を含む。地絡検出用ＰＬＣアダプタ２５５は、キュービクル２００内の変圧器２５４の二次側に接続される電力線Ｌｎに接続され、この電力線Ｌｎを介して変圧器２５４から給電される電力に基づいて動作する。
【００２１】
異常電流予兆検出システム５は、キュービクル２００の内部に備わる、短絡電流測定装置２５０と短絡検出用ＰＬＣアダプタ２６５とを含む。キュービクル２００には、引込ケーブル２４５の終端が接続される真空遮断器（ＶＣＢ：Vacuum Circuit Breakers）２５３と、変圧器（Ｔ：Transformers）２５４とが備わる。
【００２２】
真空遮断器２５３は、真空の容器に収められた電極間に流れる高圧電流を遮断する。
【００２３】
変圧器２５４は、高圧（例えば６６００Ｖ）の電気を低圧（例えば１００Ｖあるいは２００Ｖ）の電気に変圧し、電力線Ｌｎに低圧の電気を供給する。
【００２４】
短絡電流測定装置２５０は、計器用変流器（ＣＴ：Current Transformers）２５１と、過電流継電器（ＯＣＲ：Over Current Relays）２５２とを含む。
【００２５】
計器用変流器２５１は、高圧電流の測定範囲を拡げるために高圧電流の値を小さい値に変換する。
【００２６】
過電流継電器２５２は、計器用変流器２５１で得られた未短絡電流が短絡等によって制定電流を超えた場合、電路を遮断する。ここで、制定電流とは、短絡が発生する時の動作電流の限界値である。
【００２７】
過電流継電器２５２は、計器用変流器２５１で検出される未短絡電流を測定し、測定された未短絡電流値を、一定の期間ごとに（例えば１日１回、１時間に１回）短絡検出用ＰＬＣアダプタ２６５に送信する。この送信には、例えば、過電流継電器２５２と短絡検出用ＰＬＣアダプタ２６５との間に接続され、耐ノイズに優れたシリアル通信を行う通信規格ＲＳ４８５の伝送ケーブル２５２ｍが用いられる。
【００２８】
短絡検出用ＰＬＣアダプタ２６５は、過電流継電器２５２から未短絡電流信号を受信すると、未短絡電流情報のＰＬＣ信号を生成し、電力線Ｌｎを介して電力線通信により未短絡電流情報のＰＬＣ信号を送信する。このＰＬＣ信号は、短絡電流測定装置２５０（計器用変流器２５１，過電流継電器２５２）の識別情報、または短絡検出用ＰＬＣアダプタ２６５が備えられたキュービクル２００の識別情報を含む。短絡検出用ＰＬＣアダプタ２６５は、キュービクル２００内の変圧器２５４の二次側に接続される電力線Ｌｎに接続され、この電力線Ｌｎを介して変圧器２５４から給電される電力に基づいて動作する。
【００２９】
異常電流予兆検出システム５は、各ユーザの建物８００内に設置される、コンセント３８０、屋内ＰＬＣアダプタ３５０、エッジＰＣ（personal computer）３００、ルータ３６０、およびユーザ端末３７０を含む。
【００３０】
コンセント３８０は、キュービクル２００内の変圧器２５４から引き込まれた電力線Ｌｎに接続される屋内配線から電気を取るための差込口である。
【００３１】
屋内ＰＬＣアダプタ３５０は、電力線通信により電力線Ｌｎおよびコンセント３８０を介して、地絡検出用ＰＬＣアダプタ２５５から送信される未地絡電流情報、および短絡検出用ＰＬＣアダプタ２６５から送信される未短絡電流情報を受信する。ルータ３６０は、エッジＰＣ３００を広域ネットワークＮＷあるいはユーザ端末３７０に接続する。
【００３２】
ユーザ端末３７０は、ユーザが操作可能なＰＣ（Personal Computer）、スマートフォン、タブレット端末等であり、地絡あるいは短絡の予兆が検出された場合にエッジＰＣ３００から通知されるアラートを表示してユーザに報知する。なお、ユーザ端末３７０は、音声でアラートをユーザに報知してもよい。
【００３３】
エッジＰＣ３００は、地絡あるいは短絡の予兆を検出するデスクトップ型のＰＣであり、プロセッサ３１０、メモリ３１１、記憶部３１２、通信回路３１３、および操作部３１４を有する。また、エッジＰＣ３００には、プロセッサ３１０によって処理される各種情報を表示可能なディスプレイ３１５が接続される。
【００３４】
記憶部３１２は、予兆検出アルゴリズムを実行可能なプログラムおよびデータを記憶する。プロセッサ３１０は、記憶部３１２に記憶された予兆検出アルゴリズムを実行可能なプログラムおよびデータに従って予兆検出アルゴリズムを起動し、屋内ＰＬＣアダプタ３５０を介して送信される、未地絡電流情報および未短絡電流情報を基に、地絡あるいは短絡の予兆の有無を判定する。メモリ３１１は、プロセッサ３１０のワーキングメモリとして使用される。操作部３１４は、ユーザの操作を受け付ける。
【００３５】
通信回路３１３は、ルータ３６０を介してユーザ端末３７０との間で通信可能である。ユーザ端末３７０がスマートフォン等の無線携帯端末である場合、通信回路３１３は、モバイル通信網を介してユーザ端末３７０との間で通信可能である。また、通信回路３１３は、ルータ３６０および広域ネットワークＮＷを介して接続される、学習検出サーバ４００、管理会社サーバ５００、および気象情報管理サーバ６００と通信可能である。管理会社サーバ５００は、各地の高圧受電設備８における未地絡電流情報および未短絡電流情報を管理する。気象情報管理サーバ６００は、広域ネットワークＮＷを介して、気象データを提供する。
【００３６】
異常電流予兆検出システム５は、広域ネットワークＮＷに接続された学習検出サーバ４００を含む。学習検出サーバ４００は、プロセッサ４１０、メモリ４１１、ストレージ４１２、および通信回路４１３を有する。メモリ４１１は、プロセッサ４１０のワーキングメモリとして使用される。ストレージ４１２は、大容量の記憶装置である。
【００３７】
プロセッサ４１０は、広域ネットワークＮＷおよび通信回路４１３を介して受信した未地絡電流情報（データ）および未短絡電流情報（データ）を基に、地絡および短絡の予兆の有無を判定する。プロセッサ４１０は、エッジＰＣ３００からネットワークＮＷを介して、地絡が発生した時の地絡データとその前段階の未地絡データ、および短絡が発生した時の短絡データとその前段階の未短絡データを受信する。
【００３８】
プロセッサ４１０は、受信した地絡データとその前段階の未地絡データ、および短絡データとその前段階の未短絡データを学習データとしてストレージ４１２に蓄積する。プロセッサ４１０は、この学習データに、地絡あるいは短絡の発生日時、電流値、発生時の気象条件、設備および電線を施工してからの時間、高圧受電設備の識別情報等のパラメータを含める。プロセッサ３１０は、蓄積された学習データを基に、ディープラーニング等の機械学習を行い、学習済みモデルｍｄを生成する。プロセッサ４１０は、この学習済みモデルｍｄに対し、未地絡電流情報および未短絡電流情報を入力し、その出力として地絡および短絡のうち少なくともいずれかが発生する予兆の有無の判定結果を取得する。なお、ここでは、学習検出サーバが未地絡および未短絡の学習を行う場合を示したが、エッジＰＣ３００が上記学習を行ってもよい。
【００３９】
図２は、異常電流予兆検出システム５におけるキュービクル２００の設置例を示す図である。異常電流予兆検出システム５が適用される高圧受電設備８では、施設９００内の建物８００として、例えばビルやマンション等の構造物８１０、複数のコンビニエンスストア等の店舗８２０、工場８３０等に、キュービクル２００がそれぞれ設置される。
【００４０】
ビルやマンション等の構造物８１０の屋上には、電柱７００Ａから引き込まれた高圧ケーブル２９５Ａが接続されるキュービクル２００Ａが設置される。複数のコンビニエンスストア等の店舗８２０の近くには、電柱７００Ｂから引き込まれた高圧ケーブル２９５Ｂが接続されるキュービクル２００Ｂが設置される。工場８３０には、電柱７００Ｃから引き込まれた高圧ケーブル２９５Ｃが接続されるキュービクル２００Ｃが工場８３０に隣接して設置される。
【００４１】
キュービクル２００Ａ，２００Ｂ，２００Ｃのそれぞれは、電柱７００Ａ，７００Ｂ，７００Ｃのそれぞれに設置された区分開閉器２０５から高圧ケーブル２９５Ａ，２９５Ｂ，２９５Ｃのそれぞれを通して高圧の電気を受電する。キュービクル２００Ａ，２００Ｂ，２００Ｃのそれぞれは、高圧の電気を変圧器２５４で低圧の電気に変圧し、各建物８００（構造物８１０，複数の店舗８２０．工場８３０）に低圧の電気を供給する。
【００４２】
また、キュービクル２００Ａ，２００Ｂ，２００Ｃのそれぞれには、地絡検出用ＰＬＣアダプタ２５５および短絡検出用ＰＬＣアダプタ２６５が備わる。地絡検出用ＰＬＣアダプタ２５５および短絡検出用ＰＬＣアダプタ２６５のそれぞれは、取得した未地絡電流情報および未短絡電流情報を、電力線通信により各建物８００（構造物８１０、店舗８２０、工場８３０）内に備わるエッジＰＣ３００に送信する。
【００４３】
図３は、高圧受電設備８の詳細な構成を示す図である。高圧受電設備８は、区分開閉器２０５と、地絡継電器２４０と、引込ケーブル２４５と、キュービクル２００とを含む。電柱７００に支持された高圧電線は、分岐開閉器２１０で分岐される。分岐開閉器２１０で分岐した高圧電線は、第１号柱７５０に設置された区分開閉器２０５に接続される。第１号柱７５０には、区分開閉器２０５に接続される地絡継電器２４０が設置される。区分開閉器２０５は、零相電圧検出器（ＺＰＤ：Zero-Phase- Sequence Potential Device）２３３、電圧変圧器２３４、電流変流器２３５および避雷素子２３６を内蔵する。
【００４４】
零相電圧検出器２３３は、零相電圧を検出する。
【００４５】
電圧変圧器２３４は、高電圧を扱いやすい低電圧に変圧する。
【００４６】
計器用の電流変流器２３５は、大電流を扱いやすい小電流に変換する。
【００４７】
避雷素子２３６は、雷等による過渡的な高電圧から保護する。
【００４８】
地絡継電器２４０は、零相変流器２３１で検出された未地絡電流信号を地絡検出用ＰＬＣアダプタ２５５に送信する。区分開閉器２０５には、引込ケーブル２４５の始端が接続され、その終端はキュービクル２００に接続される。
【００４９】
キュービクル２００は、前述した真空遮断器２５３、変圧器２５４、計器用変流器２５１、過電流継電器２５２、地絡検出用ＰＬＣアダプタ２５５、および短絡検出用ＰＬＣアダプタ２６５の他、断路器２６８、電圧変圧器２７１、高圧遮断器２７８、避雷器２５６、高圧負荷開閉器２７９、高圧カットアウト２８１、直列リアクトル２５８、進相コンデンサ２５７および電力ヒューズ２８８を含む。これらの電子部品は、次のような用途に用いられる。
【００５０】
断路器２６８（ＤＳ：Disconnecting Switches）は、短絡の発生時、負荷を高圧電気の電路から開放する。
【００５１】
電圧変圧器２７１（ＶＴ：Voltage Transformers）は、高電圧を扱いやすい低電圧に変圧する。
【００５２】
高圧遮断器２７８（ＣＢ：Circuit Breaker）は、開閉時のアークを消弧させる。
【００５３】
計器用変流器２５１（ＣＴ：Current Transformers）は、大電流を扱いやすい小電流に変換する。
【００５４】
避雷器２５６（ＬＡ：Lightning Arresters）は、雷等による過渡的な高電圧から保護する。
【００５５】
高圧負荷開閉器２７９（ＬＢＳ：Load Break Switches）は、変圧器２５４に接続される負荷を開閉する。
【００５６】
高圧カットアウト２８１（ＰＣ：Power Cutout）は、過負荷を保護する。
【００５７】
直列リアクトル２５８（ＳＲ：Series Reactor）は、進相コンデンサ２５７の開閉による突入電流を抑制する。
【００５８】
進相コンデンサ２５７（ＳＣ：Static Capacitor）は、負荷側の力率を改善する。
【００５９】
電力ヒューズ２８８（ＰＦ：Power Fuses）は、短絡電流を遮断する。
【００６０】
図４は、地絡検出用ＰＬＣアダプタ２５５および短絡検出用ＰＬＣアダプタ２６５に相当するＰＬＣアダプタ１０のハードウェア構成を示す図である。図４の説明では、地絡検出用ＰＬＣアダプタ２５５および短絡検出用ＰＬＣアダプタ２６５を、ＰＬＣアダプタ１０と総称する。
【００６１】
ＰＬＣアダプタ１０は、回路モジュール３０およびスイッチング電源２０を有する。
【００６２】
スイッチング電源２０は、各種の電圧（例えば、＋１．２Ｖ、＋３．３Ｖ、＋１２Ｖ）を回路モジュール３０に供給し、例えば、スイッチングトランス、ＤＣ−ＤＣコンバータ（いずれも図示略）を含む。スイッチング電源２０への電源は、電源コネクタ２１からインピーダンスアッパー２７、交流直流変換器２４を介して供給される。電源コネクタ２１は、例えば、ＰＬＣアダプタ１０が有する筐体１００の背面に設けられる。
【００６３】
回路モジュール３０は、メインＩＣ（Integrated Circuit）１１と、ＡＦＥ・ＩＣ（Analog Front END Integrated Circuit）１２とを含む。回路モジュール３０は、ローパスフィルタ（ＬＰＦ：Low Pass Filter）１３、ドライバＩＣ１５、カプラ１６、バンドパスフィルタ（ＢＰＦ：Band Pass Filter）１７、およびメモリ１８を含む。回路モジュール３０は、イーサネット（登録商標）ＰＨＹ・ＩＣ（Physical layer Integrated Circuit）１９、およびＡＣサイクル検出器６０を含む。
【００６４】
カプラ１６は、電源コネクタ２１に接続され、更に電源ケーブル１Ｂ、電源プラグ２５、コンセント２を介して電力線１Ａに接続される。ＬＥＤ２３は、表示部として動作し、メインＩＣ１１に接続される。モジュラージャック２２には、各種機器（例えばパーソナルコンピュータ）に接続するためのＬＡＮケーブル２６が接続される。モジュラージャック２２は、例えば筐体１００の背面に設けられる。ＬＥＤ２３は、例えば筐体１００の前面に設けられる。
【００６５】
メインＩＣ１１は、ＣＰＵ（Central Processing Unit）１１Ａ、およびＰＬＣ・ＭＡＣ（Power Line Communication Media Access Control Layer）ブロック１１Ｃ１，１１Ｃ２を含む。また、メインＩＣ１１は、ＰＬＣ・ＰＨＹ（Power Line Communication Physical Layer）ブロック１１Ｂ１，１１Ｂ２を含む。
【００６６】
ＣＰＵ１１Ａは、３２ビットのＲＩＳＣ（Reduced Instruction Set Computer）プロセッサを実装する。ＰＬＣ・ＭＡＣブロック１１Ｃ２は、送信信号のＭＡＣ層（Media Access Control Layer）を管理し、ＰＬＣ・ＭＡＣブロック１１Ｃ１は、受信信号のＭＡＣ層を管理する。ＰＬＣ・ＰＨＹブロック１１Ｂ２は、送信信号のＰＨＹ層（Physical Layer）を管理し、ＰＬＣ・ＰＨＹブロック１１Ｂ１は、受信信号のＰＨＹ層を管理する。
【００６７】
ＡＦＥ・ＩＣ１２は、ＤＡ変換器（ＤＡＣ：Digital to Analog Converter）１２Ａ、ＡＤ変換器（ＡＤＣ：Analog to Digital Converter）１２Ｄ、及び可変増幅器（ＶＧＡ：Variable Gain Amplifier）１２Ｂ，１２Ｃを含む。
【００６８】
カプラ１６は、コイルトランス１６Ａ、およびカップリング用コンデンサ１６Ｂ，１６Ｃを含む。なお、ＣＰＵ１１Ａは、メモリ１８に記憶されたデータを利用して、ＰＬＣ・ＭＡＣブロック１１Ｃ１，１１Ｃ２、およびＰＬＣ・ＰＨＹブロック１１Ｂ１，１１Ｂ２の動作を制御し、ＰＬＣアダプタ１０の全体を制御する。
【００６９】
図４では、ＰＬＣアダプタ１０が、ＰＬＣ・ＭＡＣブロック１１Ｃ１，１１Ｃ２と、ＰＬＣ・ＰＨＹブロック１１Ｂ１，１１Ｂ２と、を含み、それぞれ送信用と受信用として用いることを例示した。この代わりに、ＰＬＣアダプタ１０が、ＰＬＣ・ＭＡＣブロック１１ＣおよびＰＬＣ・ＰＨＹブロック１１Ｂ（図示略）を含み、送信および受信の共通に使用してもよい。
【００７０】
なお、ＰＬＣ・ＭＡＣブロック１１Ｃ１，１１Ｃ２を単にＰＬＣ・ＭＡＣブロック１１Ｃとも称する。ＰＬＣ・ＰＨＹブロック１１Ｂ１，１１Ｂ２を単にＰＬＣ・ＰＨＹブロック１１Ｂとも称する。
【００７１】
メインＩＣ１１は、一般的なモデムと同様に、例えばデータ通信のための基本的な制御又は変復調を含む信号処理を行う電気回路（ＬＳＩ：Large Scale Integration）である。例えば、メインＩＣ１１は、モジュラージャック２２を介して通信端末（例えばＰＣ）から出力される受信データを変調し、送信信号（データ）としてＡＦＥ・ＩＣ１２に出力する。また、メインＩＣ１１は、電力線１Ａ側からＡＦＥ・ＩＣ１２を介して入力される信号を、受信信号（データ）として復調し、モジュラージャック２２を介して通信端末（例えばＰＣ）に出力する。
【００７２】
ＡＣサイクル検出器６０は、各々のＰＬＣアダプタ１０が共通のタイミングにおいて制御するために必要な同期信号を生成する。ＡＣサイクル検出器６０は、ダイオードブリッジ６０ａ、抵抗６０ｂ，６０ｃ、ＤＣ（Direct Current）電源供給部６０ｅ、およびコンデンサ６０ｄを含む。
【００７３】
ダイオードブリッジ６０ａは、抵抗６０ｂに接続される。抵抗６０ｂは、抵抗６０ｃと直列に接続される。抵抗６０ｂ，６０ｃは、コンデンサ６０ｄの一方の端子に並列に接続される。ＤＣ電源供給部６０ｅは、コンデンサ６０ｄの他方の端子に接続される。
【００７４】
ＡＣサイクル検出器６０による同期信号の生成は、具体的には、次のように行う。即ち、電力線１Ａに供給される商用電源の交流電力波形ＡＣ（５０Ｈｚまたは６０Ｈｚの正弦波からなる交流波形）の電圧のゼロクロス点を検出し、ゼロクロス点のタイミングを基準とする同期信号を生成する。同期信号の一例としては、交流電力波形のゼロクロス点に同期した複数のパルスからなる矩形波が挙げられる。
【００７５】
なお、ＡＣサイクル検出器６０は必須ではない。この場合、ＰＬＣアダプタ１０間の同期は、例えば通信信号に含まれる同期信号を用いる。
【００７６】
ＰＬＣアダプタ１０による通信は、概略次のように行われる。
【００７７】
モジュラージャック２２から入力されたデータは、イーサネット（登録商標）ＰＨＹ・ＩＣ１９を介してメインＩＣ１１に送られ、デジタル信号処理を施すことによってデジタル信号が生成される。生成されたデジタル信号は、ＡＦＥ・ＩＣ１２のＤＡ変換器１２Ａによってアナログ信号に変換される。変換されたアナログ信号は、ローパスフィルタ１３、ドライバＩＣ１５、カプラ１６、電源コネクタ２１、電源ケーブル１Ｂ、電源プラグ２５、コンセント２を介して電力線１Ａ（例えば図１に示す電力線Ｌｎ）に出力される。
【００７８】
また、電力線１Ａから受信された信号は、カプラ１６を経由してバンドパスフィルタ１７に送られ、ＡＦＥ・ＩＣ１２の可変増幅器１２Ｃによりゲイン調整された後、ＡＤ変換器１２Ｄによりデジタル信号に変換される。変換されたデジタル信号は、メインＩＣ１１に送られ、デジタル信号処理を施すことによって、デジタルデータに変換される。変換されたデジタルデータは、イーサネット（登録商標）ＰＨＹ・ＩＣ１９を介してモジュラージャック２２から出力される。
【００７９】
次に、実施の形態１に係る異常電流予兆検出システム５の動作手順について説明する。
【００８０】
図５は、実施の形態１に係る地絡短絡検出動作手順の一例を示すシーケンス図である。
【００８１】
図５において、地絡検出用ＰＬＣアダプタ２５５は、地絡電流測定装置２３０から一定期間ごとに送信される未地絡電流信号の電流値を受信する（Ｔ１）。地絡検出用ＰＬＣアダプタ２５５は、未地絡電流信号の電流値を含む未地絡電流情報のＰＬＣ信号を生成する（Ｔ２）。地絡検出用ＰＬＣアダプタ２５５は、電力線通信により電力線Ｌｎおよびコンセント３８０を通して、建物８００内の屋内ＰＬＣアダプタ３５０に未地絡電流情報のＰＬＣ信号を送信する（Ｔ３）。
【００８２】
短絡検出用ＰＬＣアダプタ２６５は、短絡電流測定装置２５０から一定期間ごとに送信される未短絡電流信号の電流値を受信する（Ｔ４）。短絡検出用ＰＬＣアダプタ２６５は、未短絡電流信号の電流値を含む未短絡電流情報のＰＬＣ信号を生成する（Ｔ５）。短絡検出用ＰＬＣアダプタ２６５は、電力線通信により電力線Ｌｎおよびコンセント３８０を通して、建物８００内の屋内ＰＬＣアダプタ３５０に未短絡電流情報のＰＬＣ信号を送信する（Ｔ６）。なお、地絡電流測定装置２３０から一定期間ごとに送信される未地絡電流信号と、短絡電流測定装置２５０から一定期間ごとに送信される未短絡電流信号とは、同じタイミングでもよいし、異なるタイミングでもよい。
【００８３】
屋内ＰＬＣアダプタ３５０は、電力線Ｌｎおよびコンセント３８０を通して、未地絡電流情報のＰＬＣ信号または未短絡電流情報のＰＬＣ信号を受信すると、狭域通信の通信方式に従い、未地絡電流情報または未短絡電流情報の信号（第１インターフェース信号の一例）を生成（準備）する（Ｔ７）。なお、添付図面の図中では、インターフェースを「ＩＦ」と略記している。狭域通信として、例えばＷｉｆｉ（登録商標）等の無線ＬＡＮ（Local Area Network）やイーサネット（登録商標）等の有線ＬＡＮ、またはこれらの組み合わせが用いられる。屋内ＰＬＣアダプタ３５０は、狭域通信により第１インターフェース信号をエッジＰＣ３００に送信する（Ｔ８）。第１インターフェース信号は、未地絡電流情報または未短絡電流情報に含まれていた、キュービクル２００の識別情報、あるいは地絡電流測定装置２３０または短絡電流測定装置２５０の識別情報を含む。
【００８４】
エッジＰＣ３００は、広域ネットワークＮＷの通信方式に従い、未地絡電流情報または未短絡電流情報の信号（第２インターフェース信号の一例）を生成（準備）する（Ｔ９）。広域通信として、例えば４Ｇ等のモバイル通信や有線ＷＡＮ（Wide Area Network）、またはこれらの組み合わせが用いられる。エッジＰＣ３００は、広域通信により第２インターフェース信号を学習検出サーバ４００に送信する（Ｔ１０）。第２インターフェース信号は、キュービクル２００の識別情報、あるいは地絡電流測定装置２３０または短絡電流測定装置２５０の識別情報が含まれる。これにより、学習検出サーバ４００は、どのキュービクル２００で未地絡電流情報あるいは未短絡電流情報が生成されたことを把握できる。
【００８５】
学習検出サーバ４００は、予兆検出アルゴリズムに従い、未地絡電流情報および未短絡電流情報を学習済みモデルｍｄに入力し、その出力として得られるスコア等の結果を基に、地絡および短絡のそれぞれの予兆の有無を決定する（Ｔ１１）。また、学習検出サーバ４００のプロセッサ４１０は、第２インターフェース信号に含まれる未地絡電流情報または未短絡電流情報を学習データとしてストレージ４１２に蓄積する。
【００８６】
学習検出サーバ４００は、地絡および短絡のうち少なくともいずれかの予兆があったと判断した場合、広域ネットワークＮＷを介して、ユーザ端末３７０にアラート（例えば、警報音あるいは警報の旨のメッセージ）を通知する（Ｔ１２）。アラートは、地絡または短絡が発生すると予測される期日等の情報を含む。更に、学習検出サーバ４００は、広域ネットワークＮＷを介して、管理会社サーバ５００にアラートを通知する（Ｔ１３）。学習検出サーバ４００は、広域ネットワークＮＷを介して、エッジＰＣ３００にアラートを通知する（Ｔ１４）。なお、ステップＴ１２，Ｔ１３，Ｔ１４で通知されるアラートは、同時に行われてもよいし、順番を変えて、あるいは間隔を空けて行われてもよい。また、学習検出サーバ４００は、地絡および短絡のいずれの予兆が無いと判断した場合、そのまま放置してもよいし、地絡および短絡のいずれの予兆が無い旨をユーザ端末３７０、管理会社サーバ５００およびエッジＰＣ３００に通知してもよい。
【００８７】
図６は、実施の形態１に係る予兆検出アルゴリズムの学習手順を示すフローチャートである。図５に示した、地絡短絡検出動作手順のうち同一の手順（ステップ）については、同一のステップ番号を付すことで、その説明を簡略化あるいは省略し、異なる内容について説明する。予兆検出アルゴリズムの学習は、学習検出サーバ４００によって行われる。
【００８８】
図６において、学習検出サーバ４００のプロセッサ４１０は、ステップＴ１０で通信回路４１３を介してエッジＰＣ３００から第２インターフェース信号を受信すると、第２インターフェース信号に含まれる未地絡電流情報および未短絡電流情報を基に、予兆検出アルゴリズムの学習を行う（Ｔ５１）。プロセッサ４１０は、学習の結果、過去の累積データを用いて生成された学習済みモデルｍｄに対し、学習済みモデルｍｄを構成する各種のパラメータを更新する（Ｔ５２）。学習済みモデルｍｄを構成する各種のパラメータの更新では、例えば学習済みモデルｍｄがニューラルネットワークにより構成される場合に、各層（入力層、中間層、出力層）を構成するそれぞれのニューロンの重み付け係数を最適化する処理が行われる。
【００８９】
このように、実施の形態１に係る異常電流予兆検出システム５は、地絡に至らないが、放置すると地絡が発生してしまうような未地絡電流が検出された場合、未地絡電流情報の記録を、キュービクル２００の外部である学習検出サーバ４００に蓄積しておく。同様に、異常電流予兆検出システム５は、短絡に至らないが、放置すると短絡が発生してしまうような未短絡電流が検出された場合、未短絡電流情報の記録を、キュービクル２００の外部である学習検出サーバ４００に蓄積しておく。未地絡電流情報および未短絡電流情報は、発生日時、電流値、発生時の気象条件、高圧受電設備、電線を施工してからの期間、キュービクル、高圧受電設備の識別情報等の情報を含む。学習検出サーバ４００は、大量に蓄積されたこれらの学習データを基に、機械学習を行い、学習済みモデルｍｄを生成・更新する。学習検出サーバ４００は、学習済みモデルｍｄを利用し、未地絡電流または未短絡電流が制定電流（地絡や短絡が発生する場合の動作電流）を超える前に、予測された期日を含むアラートを発信する。
【００９０】
異常電流予兆検出システム５によれば、地絡および短絡のそれぞれの予兆を検出可能な予兆検出アルゴリズムを学習することで、地絡あるいは短絡の予兆検出の精度を高めることができる。また、未地絡電流および未短絡電流を検出でき、これらのデータの蓄積が可能であるので、地絡および短絡のそれぞれの発生前の傾向を把握できる。また、地絡および短絡のいずれかの発生前に予兆の有無を判定でき、甚大な被害をもたらす、地絡事故あるいは短絡事故、さらには、広範囲に停電等をもたらす波及事故を未然に防止できる。
【００９１】
また、電力線（例えば既設のＡＣ１００Ｖの電灯線）で通信することで、専用通信線を敷設することなく、低コストで地絡あるいは短絡の予兆保全を行うことができる。また、キュービクルを含む高圧受電設備は、建物の奥まった場所に設置されることが多いので、無線通信は、高圧受電による電界や磁界の影響を受けやすく、通信障害のリスクがある。しかし、電力線通信を行うことで、通信障害のリスクが著しく低減し、安定した通信が可能となる。
【００９２】
以上により、実施の形態１の異常電流予兆検出システム５は、キュービクル２００が配置される施設９００内において異常電流の予兆を検出するための未地絡電流（第１電流値の一例）を測定する地絡電流測定装置２３０（第１電流測定装置の一例）を有する。異常電流予兆検出システム５は、地絡電流測定装置２３０により測定される未地絡電流の測定結果データを取得する地絡検出用ＰＬＣアダプタ２５５（第１電力線通信アダプタの一例）を有する。異常電流予兆検出システム５は、地絡検出用ＰＬＣアダプタ２５５との間で電力線通信が可能に接続された屋内ＰＬＣアダプタ３５０およびエッジＰＣ３００を介して、地絡検出用ＰＬＣアダプタ２５５から送信された未地絡電流の測定結果データを受信する学習検出サーバ４００（異常電流検出装置の一例）を有する。学習検出サーバ４００は、所定期間分の未地絡電流の測定結果データに基づいて、施設９００内において異常電流が発生する予兆の有無を判定する。
【００９３】
これにより、異常電流予兆検出システム５は、キュービクル２００が配置される施設９００内において異常電流の有無を検出するための電流値（例えば未地絡電流）の測定結果データを安定的に学習検出サーバ４００（管理装置の一例）に伝送できるので、その施設９００内における異常電流が発生する予兆の有無を定常的に監視できてキュービクル２００の的確な保全を支援できる。更に、異常電流予兆検出システム５によれば、高圧受電設備８の異常電流による波及事故を未然に防止できる。
【００９４】
また、地絡電流測定装置２３０からの未地絡電流の測定結果データは、通信規格ＲＳ４８５の伝送ケーブル２４０ｍを介して、地絡検出用ＰＬＣアダプタ２５５に入力される。これにより、未地絡電流の測定結果データが耐ノイズ性に優れた通信規格ＲＳ４８５の伝送ケーブル２４０ｍを介して送信されるので、ノイズの影響を受けにくくなる。
【００９５】
また、学習検出サーバ４００は、異常電流が発生する予兆を判定した場合、学習検出サーバ４００との間で通信可能に接続される、ユーザ端末３７０、エッジＰＣ３００、および管理会社サーバ５００（少なくとも一台の外部機器の一例）にアラートを通知する。これにより、ユーザ、施設の管理者、および管理会社の担当者は、異常電流の発生予兆にすぐさま気付くことができる。
【００９６】
また、地絡電流測定装置２３０は、高圧受電設備が配置される施設９００内において地絡の予兆を検出するための未地絡電流を測定する。地絡検出用ＰＬＣアダプタ２５５は、地絡電流測定装置２３０により測定される未地絡電流の測定結果データを取得する。学習検出サーバ４００は、地絡検出用ＰＬＣアダプタ２５５との間で電力線通信が可能に接続され、地絡検出用ＰＬＣアダプタ２５５から送信される未地絡電流の測定結果データを受信し、所定期間分の未地絡電流の測定結果データに基づいて、施設９００内において地絡が発生する予兆の有無を判定する。これにより、異常電流予兆検出システム５は、キュービクル２００が配置される施設９００内において地絡の有無を検出するための未地絡電流の測定結果データを安定的に学習検出サーバ４００に伝送できるので、その施設９００内における地絡が発生する予兆の有無を定常的に監視できてキュービクル２００の的確な保全を支援できる。更に、異常電流予兆検出システム５によれば、高圧受電設備８の地絡による波及事故を未然に防止できる。
【００９７】
また、地絡検出用ＰＬＣアダプタ２５５は、キュービクル２００内に配置される。これにより、地絡検出用ＰＬＣアダプタ２５５を外部の環境に晒すことを防止でき、防塵対策や防水対策が不要となる。
【００９８】
また、地絡検出用ＰＬＣアダプタ２５５は、キュービクル２００内に配置される変圧器２５４の二次側より給電された電力に基づいて動作する。これにより、地絡検出用ＰＬＣアダプタ２５５の電源を別に用意しなくて済み、地絡検出用ＰＬＣアダプタ２５５を簡単に設置できる。
【００９９】
また、学習検出サーバ４００は、所定期間分の未地絡電流情報（未地絡電流の測定結果データを含む）を用いて、地絡が発生する予兆の有無を判定するための学習済みモデルｍｄ（第１予兆検出モデルの一例）を学習する。これにより、異常電流予兆検出システム５は、未地絡電流情報を学習して学習済みモデルｍｄを更新でき、予兆検出アルゴズムに従い、地絡の予兆の有無を判定することで、地絡の予兆検出の精度を高めることができる。
【０１００】
また、異常電流予兆検出システム５は、キュービクル２００が配置される施設９００内において短絡の予兆を検出するための未短絡電流（第２電流値の一例）を測定する短絡電流測定装置２５０（第２電流測定装置の一例）を更に有する。異常電流予兆検出システム５は、短絡電流測定装置２５０により測定される未短絡電流の測定結果データを取得する短絡検出用ＰＬＣアダプタ２６５（第２電力線通信アダプタの一例）を更に有する。学習検出サーバ４００は、所定期間分の未短絡電流の測定結果データに基づいて、施設９００内において短絡が発生する予兆の有無を判定する。これにより、異常電流予兆検出システム５は、キュービクル２００が配置される施設９００内において短絡の有無を検出するための未短絡電流の測定結果データを安定的に学習検出サーバ４００（管理装置の一例）に伝送でき、その施設９００内における短絡が発生する予兆の有無を定常的に監視できてキュービクル２００の的確な保全を支援できる。更に、異常電流予兆検出システム５によれば、高圧受電設備８の短絡による波及事故を未然に防止できる。
【０１０１】
また、短絡電流測定装置２５０からの未短絡電流の測定結果データは、通信規格ＲＳ４８５の伝送ケーブル２５２ｍを介して、短絡検出用ＰＬＣアダプタ２６５に入力される。これにより、未短絡電流の測定結果データが耐ノイズ性に優れた通信規格ＲＳ４８５の伝送ケーブル２４０ｍを介して送信されるので、ノイズの影響を受けにくくなる。
【０１０２】
また、学習検出サーバ４００は、短絡が発生する予兆を判定した場合、学習検出サーバ４００との間で通信可能に接続される、ユーザ端末３７０、エッジＰＣ３００、および管理会社サーバ５００（少なくとも一台の外部機器の一例）にアラートを通知する。これにより、ユーザ、施設の管理者、および管理会社の担当者は、短絡の予兆にすぐさま気付くことができる。
【０１０３】
また、短絡検出用ＰＬＣアダプタ２６５は、キュービクル２００内に配置される。これにより、異常電流予兆検出システム５によれば、短絡検出用ＰＬＣアダプタ２６５を外部の環境に晒すことを防止でき、防塵対策や防水対策が不要となる。
【０１０４】
また、短絡検出用ＰＬＣアダプタ２６５は、キュービクル２００内に配置される変圧器２５４の二次側より給電された電力に基づいて動作する。これにより、短絡検出用ＰＬＣアダプタ２６５の電源を別に用意しなくて済み、短絡検出用ＰＬＣアダプタ２６５を簡単に設置できる。
【０１０５】
また、学習検出サーバ４００は、所定期間分の未短絡電流情報（未短絡電流の測定結果データを含む）を用いて、短絡が発生する予兆の有無を判定するための学習済みモデルｍｄ（第２予兆検出モデルの一例）を学習する。これにより、異常電流予兆検出システム５は、未短絡電流情報を学習して学習済みモデルｍｄを更新でき、予兆検出アルゴズムに従い、短絡の予兆の有無を判定することで、短絡の予兆検出の精度を高めることができる。
【０１０６】
また、学習検出サーバ４００は、地絡検出用ＰＬＣアダプタ２５５および短絡検出用ＰＬＣアダプタ２６５との間で電力線通信を行うエッジＰＣ３００（情報処理装置の一例）と広域ネットワークＮＷを介して接続されたサーバである。これにより、広域ネットワークＮＷを介して接続された、遠方の学習検出サーバ４００が学習済みモデルｍｄを利用し、複数の施設における地絡および短絡のそれぞれの予兆の有無を判定することができる。従って、異常電流予兆検出システム５によれば、予兆の精度を高めることができるとともに、効率的な運用が可能となる。
【０１０７】
（実施の形態２）
実施の形態１では、地絡および短絡のそれぞれの予兆の有無を検出するとともに、予兆検出アルゴリズムを学習して予兆の有無の検出精度を高める例を説明した。実施の形態２では、学習済みの予兆検出アルゴリズムを用いて、地絡および短絡のそれぞれの予兆の有無を簡単に検出する例を説明する。従って、実施の形態２では、図１に示す学習検出サーバの構成が省かれてよい。
【０１０８】
図７は、実施の形態２に係る地絡短絡検出動作手順の一例を示すシーケンス図である。実施の形態１に係る地絡短絡検出動作手順のうち同一の手順（ステップ）については、同一のステップ番号を付すことで、その説明を簡略化あるいは省略し、異なる内容について説明する。
【０１０９】
図７において、手順Ｔ８において、エッジＰＣ３００のプロセッサ３１０は、通信回路３１３を介して屋内ＰＬＣアダプタ３５０から送信された第１インターフェース信号を受信する。プロセッサ３１０は、第１インターフェース信号に含まれる未地絡電流情報および未短絡電流情報を基に、予兆検出アルゴリズムに従い、地絡および短絡のそれぞれの予兆の有無を決定する（Ｔ６１）。
【０１１０】
エッジＰＣ３００のプロセッサ３１０は、地絡および短絡のうち少なくともいずれかの予兆があったと判断した場合、通信回路３１３を介して、ユーザ端末３７０にアラート（警報）を通知する（Ｔ６２）。更に、学習検出サーバ４００のプロセッサ３１０は、通信回路３１３および広域ネットワークＮＷを介して、管理会社サーバ５００にアラートを通知する（Ｔ６３）。なお、エッジＰＣ３００は、地絡および短絡のいずれの予兆が無いと判断した場合、そのまま放置してもよいし、地絡および短絡のいずれの予兆が無い旨をユーザ端末３７０および管理会社サーバ５００に通知してもよい。
【０１１１】
プロセッサ３１０は、ディスプレイ３１５にアラートを表示する（Ｔ６４）。ユーザは、ディスプレイ３１５に表示されたアラートを見て、地絡および短絡のうち少なくともいずれかの予兆があったことを把握できる。従って、ユーザは、施設９００内において速やかに対処できる。
【０１１２】
このように、実施の形態２に係る異常電流予兆検出システム５では、エッジＰＣ３００が地絡および短絡のそれぞれの予兆の有無を検出するので、図１に示す学習検出サーバ４００を設けることなく、異常電流予兆検出システム５の構成を簡略化できる。また、システム構成が簡略化されることで、低コストに異常電流予兆検出システム５を実現できる。
【０１１３】
以上により、実施の形態２に係るエッジＰＣ３００（異常電流検出装置の一例）は、地絡検出用ＰＬＣアダプタ２５５および短絡検出用ＰＬＣアダプタ２６５との間で電力線通信を行う情報処理装置である。これにより、システム構成を簡単化でき、低コスト化を図ることができる。また、簡単化された異常電流予兆検出システムにおいても、キュービクル２００が配置される施設９００内において地絡の有無を検出するための未地絡電流の測定結果データを安定的にエッジＰＣ３００に伝送でき、その施設９００内における地絡が発生する予兆の有無を定常的に監視できてキュービクル２００の的確な保全を支援できる。更に、異常電流予兆検出システム５によれば、高圧受電設備８の地絡および短絡のうちいずれかによる波及事故を未然に防止できる。
【０１１４】
以上、添付図面を参照しながら実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した実施の形態における各構成要素を任意に組み合わせてもよい。
【０１１５】
例えば、上述した実施の形態１，２では、地絡と短絡の両方の予兆を検出可能なシステム構成であったが、地絡もしくは短絡の一方だけの予兆を検出可能なシステム構成であってもよい。
【産業上の利用可能性】
【０１１６】
本開示は、キュービクル等の高圧受電設備が配置される施設内において異常電流の有無を検出するための電流測定値のデータを安定的に管理装置に伝送し、その施設内における地絡や短絡等によって異常電流が発生する予兆の有無を定常的に監視してキュービクル等の高圧受電設備の的確な保全を支援する異常電流予兆検出システムおよび異常電流予兆検出方法として有用である。
【符号の説明】
【０１１７】
５  異常電流予兆検出システム
２００  キュービクル
２１０  分岐開閉器
２３０  地絡電流測定装置
２３１  零相変流器
２４０  地絡継電器
２４０ｍ、２５２ｍ  伝送ケーブル
２５０  短絡電流測定装置
２５１  計器用変流器
２５２  過電流継電器
２５５  地絡検出用ＰＬＣアダプタ
２６５  短絡検出用ＰＬＣアダプタ
３００  エッジＰＣ
４００  学習検出サーバ
５００  管理会社サーバ
【図１】
2020092569.tif 000003
【図２】
2020092569.tif 000004
【図３】
2020092569.tif 000005
【図４】
2020092569.tif 000006
【図５】
2020092569.tif 000007
【図６】
2020092569.tif 000008
【図７】
2020092569.tif 000009